(57)【要約】アクセスネットワークの電力ソースネットワークエレメント及び電力シンクネットワークエレメントについてのエレメント管理システムにおける電力管理方法。本方法は、供給されるサービスと関連する電力シンクネットワークエレメントにおいて電力使用方法を管理するプリミティブのセットを特定し、そのプリミティブを備えたサービスについてのライン電力マネージャの少なくとも一つのインスタンスを供給し、電力ソースネットワークエレメントと電力シンクネットワークエレメントのそれぞれにおいて関連するライン電力コントローラの少なくとも一つのインスタンスを供給し、電力ソースネットワークエレメントと電力シンクネットワークエレメントの間に結合される少なくとも一つの導体をライン電力コントローラに関連付け、電力ソースネットワークエレメントと電力シンクネットワークエレメントの少なくとも一つのライン電力制御機能による使用のために、電力ソースネットワークエレメントと電力シンクネットワークエレメントに対してプリミティブのセットの選択されたものを渡すことを含む。
2006526954.tif 000002
【特許請求の範囲】
【請求項１】
アクセスネットワーク内の電力ソースネットワークエレメント及び電力シンクネットワークエレメントについてのエレメント管理システムにおける電力を管理する方法であって、
少なくとも一つのプリミティブを備えたライン電力マネージャの少なくとも一つのインスタンスを供給し、
前記電力ソースネットワークエレメント及び前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
電力管理を実行する前記電力ソースネットワークエレメントと前記電力シンクネットワークエレメントの機能による使用のために、前記電力ソースネットワークエレメントと前記電力シンクネットワークエレメントの少なくとも一つに対して前記少なくとも一つのプリミティブの選択されたものを渡し、
前記少なくとも一つのプリミティブの少なくとも一つを監視し、
前記電力ソースネットワークエレメントと前記電力シンクネットワークエレメントについての電力状態に応答して前記少なくとも一つのプリミティブの監視されるものに基づいて前記エレメント管理システムにおいて選択的に処置すること、
を含むことを特徴とする方法。
【請求項２】
前記選択的に処置することは、前記電力ソースネットワークエレメント及び前記電力シンクネットワークエレメントの一つについての悪い電力状態に応答して警告を表示することを含む、請求項１に記載の方法。
【請求項３】
前記警告を表示することは、グラフィカルユーザインターフェース上に警告を表示することを含む、請求項２に記載の方法。
【請求項４】
前記ライン電力マネージャの少なくとも一つのインスタンスを供給することは、供給されるサービスのタイプと関連する電力プロファイルに基づいて１以上のプリミティブを選択することを含む、請求項１に記載の方法。
【請求項５】
前記少なくとも一つのプリミティブを備えたライン電力マネージャの少なくとも一つのインスタンスを供給することは、供給されるサービスについての電力管理の処置及び基準のセットを定義するパラメータと情報を備えたライン電力マネージャの少なくとも一つのインスタンスを供給することを含む、請求項１に記載の方法。
【請求項６】
前記ライン電力マネージャの少なくとも一つのインスタンスを供給することは、ユーザインターフェースにおいて１以上のプリミティブを選択することを含む、請求項１に記載の方法。
【請求項７】
さらに、前記電力マネージャの各インスタンスと関連するプリミティブのデータベースを管理することを含む、請求項１に記載の方法。
【請求項８】
前記電力ソースネットワークエレメントと前記電力シンクネットワークエレメントの少なくとも一つに対して前記プリミティブの選択されたものを渡すことは、前記電力シンクネットワークエレメントにおける電力を管理するために選択されたプリミティブを前記電力ソースネットワークエレメントに渡すことを含む、請求項１に記載の方法。
【請求項９】
前記電力ソースネットワークエレメントと前記電力シンクネットワークエレメントの少なくとも一つに対して前記プリミティブの選択されたものを渡すことは、前記電力シンクネットワークエレメントにおける電力を管理するために選択されたプリミティブを前記電力シンクネットワークエレメントに渡すことを含む、請求項１に記載の方法。
【請求項１０】
前記少なくとも一つの導体を前記ライン電力コントローラに関連付けることは、通信信号も運ぶ少なくとも一つの導体を関連付けることを含む、請求項１に記載の方法。
【請求項１１】
前記少なくとも一つの導体を前記ライン電力コントローラに関連付けることは、少なくとも一つのメディアインターフェースを備えた少なくとも一つの導体を関連付けることを含む、請求項１に記載の方法。
【請求項１２】
アクセスネットワークの電力ソースネットワークエレメント及び電力シンクネットワークエレメントについてのエレメント管理システムにおける電力を管理する方法であって、
前記電力シンクネットワークエレメントの加入者インターフェースについてのサービスを構築し、
前記サービスの提供と関連する前記電力シンクネットワークエレメントにおいて電力使用方法を管理するプリミティブのセットを特定し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡し、
前記プリミティブのセットを前記エレメント管理システムにおいてデータベース内の前記ライン電力マネージャのインスタンスと関連付けること、
を含むことを特徴とする方法。
【請求項１３】
前記プリミティブのセットを特定することは、供給されるサービスタイプと関連する電力プロファイルからプリミティブのセットを自動的に選択すること、ユーザインターフェースを通じたプリミティブを選択すること、及び前記供給されるサービスと関連するプリミティブのセットを備える電力プロファイルを選択することの一つを含む、請求項１２に記載の方法。
【請求項１４】
前記電力ソースネットワークエレメントと前記電力シンクネットワークエレメントに対して前記プリミティブの選択されたものを渡すことは、前記電力シンクネットワークエレメントにおいて電力を管理するために前記電力ソースネットワークエレメントに対して選択されたプリミティブを渡すことを含む、請求項１２に記載の方法。
【請求項１５】
前記電力ソースネットワークエレメントと前記電力シンクネットワークエレメントに対して前記プリミティブの選択されたものを渡すことは、前記電力シンクネットワークエレメントにおいて電力を管理するために前記電力シンクネットワークエレメントに対して選択されたプリミティブを渡すことを含む、請求項１２に記載の方法。
【請求項１６】
さらに、前記電力マネージャの各インスタンスと関連するプリミティブのデータベースを管理することを含む、請求項１２に記載の方法。
【請求項１７】
前記少なくとも一つの導体を前記ライン電力コントローラに関連付けることは、通信信号も運ぶ少なくとも一つの導体を関連付けることを含む、請求項１２に記載の方法。
【請求項１８】
前記少なくとも一つの導体を前記ライン電力コントローラに関連付けることは、少なくとも一つのメディアインターフェースを備えた少なくとも一つの導体を関連付けることを含む、請求項１２に記載の方法。
【請求項１９】
アクセスネットワークの電力ソースネットワークエレメント及び電力シンクネットワークエレメントについてのエレメント管理システムにおける電力を管理する方法であって、
前記電力シンクネットワークエレメントの加入者インターフェースについてのサービスを供給し、
前記供給されるサービスに基づいて前記電力シンクネットワークエレメントにおいて電力使用方法を管理するプリミティブのセットを自動的に選択し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡すこと、
を含むことを特徴とする方法。
【請求項２０】
アクセスネットワークの電力ソースネットワークエレメント及び電力シンクネットワークエレメントについてのエレメント管理システムにおける電力を管理する方法であって、
前記電力シンクネットワークエレメントの加入者インターフェースについてのサービスを供給し、
前記供給されるサービスのために前記電力シンクネットワークエレメントにおいて電力使用方法を管理するプリミティブのセットの選択を受信し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡すこと、
を含むことを特徴とする方法。
【請求項２１】
前記少なくとも一つの導体を前記ライン電力コントローラに関連付けることは、通信信号も運ぶ少なくとも一つの導体を関連付けることを含む、請求項２０に記載の方法。
【請求項２２】
前記少なくとも一つの導体を前記ライン電力コントローラに関連付けることは、少なくとも一つのメディアインターフェースを備えた少なくとも一つの導体を関連付けることを含む、請求項２０に記載の方法。
【請求項２３】
アクセスネットワーク内の電力ソースネットワークエレメント及び電力シンクネットワークエレメントについてのエレメント管理システムにおける電力を管理するためのプログラム命令を明白に具現化する記録媒体を有する装置であって、該プログラム命令は、少なくとも一つのプログラマブルプロセッサに方法を実行させる動作可能な命令を含み、該方法は、
少なくとも一つのプリミティブを備えたライン電力マネージャの少なくとも一つのインスタンスを供給し、
前記電力ソースネットワークエレメント及び前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
電力管理を実行する前記電力ソースネットワークエレメントと前記電力シンクネットワークエレメントの機能による使用のために、前記電力ソースネットワークエレメントと前記電力シンクネットワークエレメントの少なくとも一つに対して前記少なくとも一つのプリミティブの選択されたものを渡し、
前記少なくとも一つのプリミティブの少なくとも一つを監視し、
前記電力ソースネットワークエレメントと前記電力シンクネットワークエレメントについての電力状態に応答して前記少なくとも一つのプリミティブの監視されるものに基づいて前記エレメント管理システムにおいて選択的に処置することを含む、
ことを特徴とする装置。
【請求項２４】
前記選択的に処置することは、前記電力ソースネットワークエレメント及び前記電力シンクネットワークエレメントの一つについての悪い電力状態に応答して警告を表示することを含む、請求項２３に記載の装置。
【請求項２５】
前記警告を表示することは、グラフィカルユーザインターフェース上に警告を表示することを含む、請求項２４に記載の装置。
【請求項２６】
前記ライン電力マネージャの少なくとも一つのインスタンスを供給することは、供給されるサービスのタイプと関連する電力プロファイルに基づいて１以上のプリミティブを選択することを含む、請求項２３に記載の装置。
【請求項２７】
前記少なくとも一つのプリミティブを備えたライン電力マネージャの少なくとも一つのインスタンスを供給することは、供給されるサービスについての電力管理の処置及び基準のセットを定義するパラメータと情報を備えたライン電力マネージャの少なくとも一つのインスタンスを供給することを含む、請求項２３に記載の装置。
【請求項２８】
前記ライン電力マネージャの少なくとも一つのインスタンスを供給することは、ユーザインターフェースにおいて１以上のプリミティブを選択することを含む、請求項２３に記載の装置。
【請求項２９】
さらに、前記電力マネージャの各インスタンスと関連するプリミティブのデータベースを管理することを含む、請求項２３に記載の装置。
【請求項３０】
前記電力ソースネットワークエレメントと前記電力シンクネットワークエレメントの少なくとも一つに対して前記プリミティブの選択されたものを渡すことは、前記電力シンクネットワークエレメントにおける電力を管理するために選択されたプリミティブを前記電力ソースネットワークエレメントに渡すことを含む、請求項２３に記載の装置。
【請求項３１】
前記電力ソースネットワークエレメントと前記電力シンクネットワークエレメントの少なくとも一つに対して前記プリミティブの選択されたものを渡すことは、前記電力シンクネットワークエレメントにおける電力を管理するために選択されたプリミティブを前記電力シンクネットワークエレメントに渡すことを含む、請求項２３に記載の装置。
【請求項３２】
前記少なくとも一つの導体を前記ライン電力コントローラに関連付けることは、通信信号も運ぶ少なくとも一つの導体を関連付けることを含む、請求項２３に記載の装置。
【請求項３３】
前記少なくとも一つの導体を前記ライン電力コントローラに関連付けることは、少なくとも一つのメディアインターフェースを備えた少なくとも一つの導体を関連付けることを含む、請求項２３に記載の装置。
【請求項３４】
アクセスネットワーク内の電力ソースネットワークエレメント及び電力シンクネットワークエレメントについてのエレメント管理システムにおける電力を管理するためのプログラム命令を明白に具現化する記録媒体を有する装置であって、該プログラム命令は、少なくとも一つのプログラマブルプロセッサに方法を実行させる動作可能な命令を含み、該方法は、
前記電力シンクネットワークエレメントの加入者インターフェースについてのサービスを構築し、
前記サービスの提供と関連する前記電力シンクネットワークエレメントにおいて電力使用方法を管理するプリミティブのセットを特定し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡し、
前記プリミティブのセットを前記エレメント管理システムにおいてデータベース内の前記ライン電力マネージャのインスタンスと関連付けることを含む、
ことを特徴とする装置。
【請求項３５】
前記プリミティブのセットを特定することは、供給されるサービスタイプと関連する電力プロファイルからプリミティブのセットを自動的に選択すること、ユーザインターフェースを通じたプリミティブを選択すること、及び前記供給されるサービスと関連するプリミティブのセットを備える電力プロファイルを選択することの一つを含む、請求項３４に記載の装置。
【請求項３６】
前記電力ソースネットワークエレメントと前記電力シンクネットワークエレメントに対して前記プリミティブの選択されたものを渡すことは、前記電力シンクネットワークエレメントにおいて電力を管理するために前記電力ソースネットワークエレメントに対して選択されたプリミティブを渡すことを含む、請求項３４に記載の装置。
【請求項３７】
前記電力ソースネットワークエレメントと前記電力シンクネットワークエレメントに対して前記プリミティブの選択されたものを渡すことは、前記電力シンクネットワークエレメントにおいて電力を管理するために前記電力シンクネットワークエレメントに対して選択されたプリミティブを渡すことを含む、請求項３４に記載の装置。
【請求項３８】
さらに、前記電力マネージャの各インスタンスと関連するプリミティブのデータベースを管理することを含む、請求項３４に記載の装置。
【請求項３９】
前記少なくとも一つの導体を前記ライン電力コントローラに関連付けることは、通信信号も運ぶ少なくとも一つの導体を関連付けることを含む、請求項３４に記載の装置。
【請求項４０】
前記少なくとも一つの導体を前記ライン電力コントローラに関連付けることは、少なくとも一つのメディアインターフェースを備えた少なくとも一つの導体を関連付けることを含む、請求項３４に記載の装置。
【請求項４１】
アクセスネットワーク内の電力ソースネットワークエレメント及び電力シンクネットワークエレメントについてのエレメント管理システムにおける電力を管理するためのプログラム命令を明白に具現化する記録媒体を有する装置であって、該プログラム命令は、少なくとも一つのプログラマブルプロセッサに方法を実行させる動作可能な命令を含み、該方法は、
前記電力シンクネットワークエレメントの加入者インターフェースについてのサービスを供給し、
前記供給されるサービスに基づいて前記電力シンクネットワークエレメントにおいて電力使用方法を管理するプリミティブのセットを自動的に選択し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡すことを含む、
ことを特徴とする装置。
【請求項４２】
アクセスネットワーク内の電力ソースネットワークエレメント及び電力シンクネットワークエレメントについてのエレメント管理システムにおける電力を管理するためのプログラム命令を明白に具現化する記録媒体を有する装置であって、該プログラム命令は、少なくとも一つのプログラマブルプロセッサに方法を実行させる動作可能な命令を含み、該方法は、
前記電力シンクネットワークエレメントの加入者インターフェースについてのサービスを供給し、
前記供給されるサービスのために前記電力シンクネットワークエレメントにおいて電力使用方法を管理するプリミティブのセットの選択を受信し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡すことを含む、
ことを特徴とする装置。
【請求項４３】
アクセスネットワークの電力ソースネットワークエレメント及び電力シンクネットワークエレメントについてのエレメント管理システムにおける電力管理方法であって、
供給されるサービスの提供と関連する前記電力シンクネットワークエレメントにおいて電力使用方法を管理するプリミティブのセットを特定し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡すこと、
を含むことを特徴とする方法。
【発明の詳細な説明】
【技術分野】
【０００１】
本発明は、ライン電源供給されるネットワークエレメントを管理するためのエレメント管理システムに関する。
【背景技術】
【０００２】
通信ネットワークは、様々な場所にあるユーザ製品間で信号を運ぶ。通信ネットワークは、多数の構成要素を含む。例えば、通信ネットワークは、代表的にネットワークエレメント間の信号の選択されたルートを提供する多数のスイッチングエレメントを含む。さらに、通信ネットワークは、通信媒体、例えば、ツイストペア、光ファイバケーブル、同軸ケーブル若しくはスイッチ間で信号を運ぶ同様のものなどを含む。さらに、通信ネットワークによっては、アクセスネットワークを含む。
【０００３】
本願の目的において、用語“アクセスネットワーク”は、通信ネットワークの一部分、例えば、加入者の装置又はデバイスがコアネットワークに接続することを可能にする公衆交換電話網（ＰＳＴＮ）を意味する。本願の目的において、さらに用語“アクセスネットワーク”は、一般に企業間ネットワークの一部と見なされるとしても、顧客側装置（ＣＬＥ）を含む。従来のアクセスネットワークの例は、通常電話局に置かれたケーブルプラント及び装置、又はサービスエリア内の加入者にサービスインターフェースを直接的に提供する外部プラントキャビネットを含む。アクセスネットワークは、加入者サービスのエンドポイントと所定のサービスを提供する通信ネットワーク間のインターフェースを提供する。アクセスネットワークは、代表的には多数のネットワークエレメントを含む。
【０００４】
ネットワークエレメントは、供給される通信サービスのためのサービスインターフェースを提供するアクセスネットワークにおける装置又は設備である。ネットワークエレメントは、スタンドアロンデバイスであってもよく、又は多数のデバイス間で分担してもよい。ネットワークエレメントは、電話局に置かれるか、外部プラントに置かれるか、又は顧客側装置（ＣＬＥ）の何れかである。幾つかのネットワークエレメントは、外部プラント環境のために強固にされる。ここで定義されたような幾つかのアクセスネットワークでは、様々なネットワークエレメントを、異なる事業体が所有してもよい。例えば、アクセスネットワークにおけるネットワークエレメントの大部分を地域電話運営会社（ＲＢＯＣ）の一つが所有してもよく、一方、ＣＬＥを加入者が所有してもよい。そのような加入者の装置は、従来加入者の企業間ネットワークの一部と見なされるが、本願の目的においては、アクセスネットワークの一部と定義してもよい。
【０００５】
アクセスネットワークについて多数の従来の形式がある。例えば、デジタルループキャリアが、アクセスネットワークの初期の形式である。従来のデジタルループキャリアは、二つのネットワークエレメントを用いて加入者装置から、及び加入者装置へ信号を運ぶ。コアネットワーク側では、電話局端末が準備される。電話局端末は、高速デジタルリンク、例えば、多数のＴ１ライン又は他の適切な高速デジタル伝送媒体を通じてリモート端末に接続される。デジタルループキャリアのリモート端末は、代表的に従来のツイストペアを通じて加入者と接続する。
【０００６】
デジタルループキャリアのリモート端末は、カスタマーサービスエリア内にしばしば広く分散される。リモート端末は、代表的にラインカードと適切に動作するために電力を必要とする他の電子回路を備える。幾つかの用途では、リモート端末は現地で電力供給される。望ましくないことに、局部電源のロスによるリモート端末の障害を防ぐために、代表的には局部バッテリープラントが使用される。これは、広い温度範囲にわたって動作を保証する外部プラントの動作要件のために、コストを増大させ、リモート端末の保守性を悪化させる。幾つかのネットワークでは、リモート端末は、電話局から、ラインを通じて電力が供給される。これは、ライン供給（line feeding）又はライン電力供給（line powering）と呼ばれ、交流又は直流電源の使用を通じて達成できる。そのため、局部電源が機能しない場合、代表的にはバックアップ電源を使用してラインを通じて電力供給されるので、リモート端末はまだ機能する。これは、電力供給停止中でさえ、リモート端末が従来の電話サービス（ＰＯＴＳ）のライフラインのような重要な機能を提供することを可能にする。
【０００７】
そのうち、通信ネットワークを通じて提供される様々なサービスも変化してきた。当初、通信ネットワークは、狭帯域の音声トラフィックを運ぶように設計された。近年になって、ネットワークは、ブロードバンドサービスを提供するように修正されてきた。これらブロードバンドサービスは、デジタル加入者線（ＤＳＬ）サービスのようなサービスを含む。時間経過とともに、他のブロードバンドサービスもサポートされるであろう。これらの新しいサービスは、しばしば増大する電力要求を招来する。
【０００８】
提供するサービスは変わってきたものの、リモート端末に電力供給する方法は変わっていない。現在提供される様々なサービスは、全てが対等ではない。ライフラインＰＯＴＳとは異なる今日のデータサービスは、一般に必要不可欠とはみなされていない。さらに、他のブロードバンドサービス間でさえ、ある加入者が欲するサービスのレベル及び加入者がそれに対して支払おうとするものに影響する変動範囲がある。提供するサービスにおけるこれらの変化にもかかわらず、電力をアクセス装置に対して提供する方法は、サービスの向上に足並みをそろえるようには変化してきていない。
【０００９】
したがって、電力をアクセスネットワークのネットワークエレメントに提供する方法における技術向上の必要性がある。
【発明の開示】
【００１０】
本発明の実施形態は、アクセスネットワーク内のネットワークエレメントに対して電力を供給する問題を取り扱う。特に、本発明の実施形態は、ライン電力供給されるネットワークエレメントについての電力管理を提供する。本発明の実施形態は、エレメント管理システム上で実行されるライン電力マネージャを提供する。電力マネージャは、監視される電力状態に基づいたネットワークエレメントの動作の制御において使用するための少なくとも一つの電力基準を備えたネットワークエレメントと関連する電力コントローラを供給する。
【００１１】
アクセスネットワークのネットワークエレメントについてのエレメント管理システムにおいて電力を管理する方法が提供される。その方法は、供給されるサービスを提供することに関連するネットワークエレメントにおいて電力使用方法を管理するプリミティブセットを特定すること、プリミティブセットを備えたサービスに対するライン電力マネージャの少なくとも一つのインスタンスを供給すること、ネットワークエレメントの少なくとも一つのライン電力制御機能による使用のために管理されるネットワークエレメントに対してプリミティブのセットの選択されたものを渡すことを含む。
【発明を実施するための最良の形態】
【００１２】
本願は、２００２年４月２９日に出願された米国特許出願第１０／１３４３２３号“ライン電力供給されるネットワークエレメントにおける電力管理”（‘３２３号出願）の一部継続出願である。‘３２３号出願はここに参照として組み込まれる。
本願は、これと同日付で出願された以下の出願にも関連する。
米国特許出願第１０／４４９２５９号“ライン電力供給されるネットワークエレメント”、代理人整理番号１００．３５９ＵＳ０１（‘３５９号出願）
米国特許出願第１０／４４９９１０号“ネットワークにおけるライン電力供給を制御する機能”、代理人整理番号１００．３５８ＵＳ０１（‘３５８号出願）
第３５８号出願及び第３５９号出願は、ここに参照として組み込まれる。
【００１３】
以下の詳細な説明において、参照はこの一部を形成し、本発明を実践し得る特定の具体例の説明のために示される添付図面に対してなされる。これらの実施形態は、本発明を実践するために当業者が実行可能なように十分詳細に説明され、他の実施形態を利用してもよく、論理的、機械的及び電子的な変更を本発明の範囲から外れることなく行ってもよいということが理解されるべきである。したがって、以下の詳細な説明は、限定的な意味で捉えるべきではない。
【００１４】
本発明の実施形態は、アクセスネットワークにおけるライン電力供給されるネットワークエレメントの管理を提供する。多数の実施形態が以下で詳細に説明される。概観するように、様々な実施形態が選択可能な“プリミティブ”に基づいてライン電力供給されるネットワークエレメントの動作を管理する。これらのプリミティブは、様々な電力状態の下でネットワークエレメント上で供給されるサービスの管理の基準及び処置のセットを定義するパラメータと情報を提供する。例えば、プリミティブは、利用可能な電力、電力のヘッドルーム、サービスの優先度、又は様々な加入者についてのサービスレベルの取り決めの項目のような要因に基づいて、ネットワークエレメントを管理する電力基準又は処置を定義する。代表的なプリミティブのリストは、同時継続中の米国特許出願第１０／４４９９１０号明細書（‘３５８号出願）に見つけられる。
【００１５】
一般に、ライン電力マネージャは、管理されるネットワークエレメント及び管理されるネットワークエレメント上で供給されるサービスについてのプリミティブを構築する。ライン電力コントローラは、電力マネージャと通信し、ネットワークエレメントの監視される電力状態に基づいてネットワークエレメントの動作を制御するためにプリミティブを使用する。例えば、ネットワークエレメントの動作は、電力が消失又は低下した場合に選択的に調整される。例えば、ネットワークエレメントの構成要素を低電力モードにし、機能を無効にし、又はポート若しくはサービスを選択的に切る。
【００１６】
ネットワークエレメントの電力ベースの管理は、アクセスネットワークの動作において多くの利点を提供する。第一に、管理された電力は、全体的な電力の節約を可能にする、非常に高い効率性をもたらす。これは、コストの低減になる。さらに、高い電力効率は、カスタマーサービスエリア内のネットワークエレメントについてのより長い到達範囲を可能にする。電力管理されるアクセスネットワーク内で電力のヘッドルームを設計する場合、サービスの間隔を長期間に延長したり、予定することもできる。また、電力管理は、例えば、サービスの優先度及び時限のイベントに基づく制御されたサービスのシャットダウンの使用を通じて、エレメントの障害及びバッテリプラントの障害の間でも優先的なサービスが動作し続けることを保証できる。最後に、ネットワークエレメントにおける電力管理は、区別されたサービスの生成に柔軟性をもたせる。例えば、電力障害がバックアップ電源へ切り替えを起こす場合、中程度の優先レベルでは選択されたデータサービスを選択された期間中動作するように供給してもよい。
【００１７】
多数の実施形態が以下で説明される。セクション１は、電力管理のスキームの一つの実施形態の概観を与える。セクション２は、電力管理スキームを実行するように用いられるエレメント管理システム（ＥＭＳ）の様々な側面を記述する。‘３５９出願は、電力管理スキームを実行するようにここで記述されるエレメント管理システムとともに動作するように適合されるライン電力供給されるネットワークエレメントの一つの実施形態を記述する。
【００１８】
１．概観
図１は、エレメント管理システム（ＥＭＳ）１０４上で実行される電力管理アプリケーションを用いてアクセスネットワーク１０６内のライン電力供給されるネットワークエレメントについての電力管理を提供する、１００で全体を示すシステムの実施形態のブロック図である。一つの実施形態において、電力管理アプリケーションは、ライン電力供給されるネットワークエレメントの電力を管理する、図１のライン電力マネージャ１０２によって表される、ライン電力マネージャのインスタンスを生成する。一つの実施形態において、ライン電力マネージャ１０２は、１以上のプリミティブに基づいて、１以上の電力コントローラ、例えば電源ライン電力コントローラ１１８及びシンクライン電力コントローラ１２０を通じて、ネットワークエレメント、例えば、電力ソースネットワークエレメント（ソースＮＥ）１１０及び電力シンクネットワークエレメント（シンクＮＥ）１１２を管理する。一つの実施形態において、ライン電力供給されるデジタルループキャリアシステムにおいて、シンクＮＥ１１２はリモート端末（ＲＴ）であり、ソースＮＥ１１０は電話局端末（ＣＯＴ）である。他の実施形態において、シンクＮＥ１１２は、ＤＳＬモデムのようなカスタマ構内機器（ＣＰＥ）、集積されたアクセスデバイス又は従来企業間ネットワークの一部と見なされる他のネットワークエレメントである。一般に、シンクＮＥ１１２は加入者装置に対するインターフェースを提供し、ソースＮＥ１１０は、ネットワーク、例えばインターネットのようなデータネットワークに対するインターフェースを提供する。ソースＮＥ１１０は導体１１４を通じてシンクＮＥ１１２に電力を供給する。一つの実施形態において、導体１１４は、１以上の導電性ケーブル、例えば、１以上のツイストペア電話線、同軸ケーブル又は他の適切な導体を含む。一つの実施形態において、導体１１４は、ソースＮＥ１１０とシンクＮＥ１１２の間で電力信号に加えて通信信号を運ぶ。
【００１９】
電力管理アプリケーションは、電力マネージャ１０２についての方法を実行するためのＥＭＳ１０４のプログラム可能なプロセッサ上で実行される、機械読み取り可能な媒体上に格納された機械読み取り可能な命令を含む。この明細書の目的において、“機械読み取り可能な媒体”は、ランダムアクセスメモリ（ＤＲＡＭ、ＳＲＡＭ）、フラッシュメモリ、リードオンリーメモリ（ＲＯＭ）、電気的に消去可能なプログラム可能リードオンリーメモリ（ＥＥＰＲＯＭ）、光若しくは磁気記録媒体、又は他の適切な記録媒体を含む。しかし、“機械読み取り可能な媒体”は、これに限られるものではない。さらに、この明細書の目的において、エレメント管理システムは、１以上のアクセスネットワーク及びアクセスネットワークにおける大量のネットワークエレメント、例えば、電話局端末、リモート端末、カスタマ構内機器等についての管理を提供するように適合される機能を有するシステムである。ＥＭＳの機能は、プロビジョニング、実行状態監視、重要機能についての警告、レポート生成、統計図示及び他の多くの機能を含む。ＥＭＳ１０４のマンマシンインターフェースは、代表的にグラフィカルユーザインターフェースを有する。一つの実施形態において、ＥＭＳ１０４は、ライン電力マネージャ１０２の複数のインスタンスの生成をサポートする。インスタンス化されたもののそれぞれは、同じタイプ又は異なるタイプの電力管理機能を実行する。
【００２０】
ライン電力マネージャ１０２は、電力状態に基づいて、ネットワークエレメント、例えばソースＮＥ１１０及びシンクＮＥ１１２によって提供されるサービスを制御するプリミティブのセットを構築する。さらに、ライン電力マネージャ１０２は、同時継続中の２００２年４月２９日に出願された米国特許出願第１０／１３４３２３号明細書“ライン電力供給されたネットワークエレメントにおける管理”に記載されているような関連するデータベース（ＤＢ）１０５において供給されるプリミティブを管理する。‘３２３号出願は、ここに参照として組み込まれる。一つの実施形態において、データベース１０５は、アクセスネットワーク１０６内の全てのネットワークエレメントに割り当てられる全てのプリミティブのリストを保持する。さらに、各ネットワークエレメントは、ネットワークエレメントに関連するプリミティブについてのデータベース１０５のサブセットを保持する。
【００２１】
ライン電力マネージャ１０２は、適切な管理インターフェース、例えば通信ネットワーク１０８を通じて電源ライン電力コントローラ１１８及びシンクライン電力コントローラ１２０と通信する。この管理インターフェースは、既知の、又は後に開発される管理インターフェース、例えば、ＳＮＭＰ又は他の適切な管理インターフェースで達成される。一つの実施形態において、ライン電力マネージャ１０２は、電力管理アプリケーションについての管理情報ベース（ＭＩＢ）において定義されるように、電源ライン電力コントローラ１１８及びシンクライン電力コントローラ１２０と通信する。
【００２２】
一つの実施形態において、電源ライン電力コントローラ１１８及びシンクライン電力コントローラ１２０は、機械読み取り可能な媒体上に格納された機械読み取り可能な命令として実行され、組み込みプロセッサ上で実行される。さらに、一つの実施形態において、ソースＮＥ１１０における電力管理は、１以上の電源ライン電力コントロール機能１２２を組み合わせて電源ライン電力コントローラ１１８を通じて実行される。同様に、シンクＮＥ１１２における電力管理は、１以上のシンクライン電力コントロール機能１２４を組み合わせてシンクライン電力コントローラ１２０を通じて実行される。一つの実施形態において、電源ライン電力コントロール機能１２２及びシンクライン電力コントロール機能１２４は、‘３５８号出願において記述されるように実行される。
【００２３】
電力は、１以上の電源１１６からソースＮＥ１１０及びシンクＮＥ１１２へ供給される。アクセスネットワーク１０６及びライン電力供給されるネットワークエレメントに関する電源を配置可能な場所は、‘３２３号出願において詳細に記述される。‘３２３号出願は、ここに参照として組み込まれる。
【００２４】
ソースＮＥ１１０及びシンクＮＥ１１２は、導体１１４を通じて互いに結合される。一つの実施形態において、導体１１４は、１以上の通信ライン、例えば、銅ケーブル、ツイストペア等を含む。一つの実施形態において、導体１１４は、ソースＮＥ１１０とシンクＮＥ１１２間で電力と通信信号の両方を運ぶ。一つの実施形態において、導体１１４は、ソースＮＥ１１０とシンクＮＥ１１２についての１以上のメディアインターフェースを提供する多数のリンクを有する。各リンクは、電力及び通信信号の両方を運ぶように適合される。一つの実施形態において、導体１１４は、ソースＮＥ１１０とシンクＮＥ１１２間で電力を運ぶための電力インターフェース、ソースＮＥ１１０とシンクＮＥ１１２間で管理情報、例えば、プリミティブを運ぶための管理通信インターフェース、及びソースＮＥ１１０とシンクＮＥ１１２間で通信信号を提供するためのデジタル通信インターフェースを有する。
【００２５】
動作において、ライン電力マネージャ１０２は、ソースＮＥ１１０からシンクＮＥ１１２へ管理された電力を供給するためにデータベース１０５に格納された１以上のプリミティブに基づいて、ソースＮＥ１１０及びシンクＮＥ１１２の動作を管理する。ライン電力マネージャ１０２は、電源ライン電力コントローラ１１８及びシンクライン電力コントローラ１２０に対して１以上のプリミティブを選択し、提供する。電源ライン電力コントローラ１１８及びシンクライン電力コントローラ１２０は、ソースＮＥ１１０からシンクＮＥ１１２へ電力を供給するために導体１１４と選択的に関連付けられる。
【００２６】
一つの実施形態において、ライン電力マネージャ１０２は、シンクＮＥ１１２において提供されるサービスについての“フロースルー”プロビジョニングの一部として少なくとも一つの電力基準を構築する。一つの実施形態において、ライン電力マネージャ１０２は、図３に関して以下に詳細に説明するように、明示的若しくは暗黙的な選択（ここでは他への“フロースルー”プロビジョニングとも呼ばれる）の何れかを通じて少なくとも一つの電力基準を構築する。
【００２７】
供給されるライン電力コントローラ、例えば、電源ライン電力コントローラ１１８及びシンクライン電力コントローラ１２０は、それぞれ、供給されるプリミティブを通じて、ソースＮＥ１１０及びシンクＮＥ１１２の動作を監視する。電力が消失又は低下した場合、電源ライン電力コントローラ１１８及びシンクライン電力コントローラ１２０は、適切なプリミティブを用いて電力状態を検出し、報告する。そして電源ライン電力コントローラ１１８及びシンクライン電力コントローラ１２０は、現在の電力状態に基づいて、ソースＮＥ１１０及びシンクＮＥ１１２の動作について必要な調整を行う。例えば、一つの実施形態において、シンクライン電力コントローラ１２０は、シンクＮＥ１１２において利用可能な電力が低下した場合、適切な電力消費レベルに到達するまで優先度のスキームにしたがってサービスをシャットダウンする。適切な優先度スキームを使用することができる。例えば、優先度は、サービスのタイプ、ポート番号、サービスレベルの取り決め、ランダム、又は他の適切なスキームに基づく。一つの実施形態において、シンクライン電力コントローラ１２０は、構成要素シンクＮＥ１１２を低電力モードにする。低電力モードの使用を、優先度スキームにしたがって実行することもできる。
【００２８】
２．エレメント管理システム
このセクションでは、エレメント管理システムの様々な側面について説明する。第１に、エレメント管理システムの実施形態は、図２とともに説明される。さらに、エレメント管理アプリケーション上で実行される電力管理アプリケーションによって用いられる様々な手順の実施形態は図３−９とともに説明される。図２−９のそれぞれは、以下に説明される。
【００２９】
図２は、本発明の教示するところによる、２００で全体を示すエレメント管理システムのブロック図である。エレメント管理システム２００は、アクセスネットワークにおいてライン電力供給されるネットワークエレメントの管理を提供する電力管理アプリケーションを実行するプログラマブルプロセッサ２０２を含む。一つの実施形態において、電力管理アプリケーションは、機械読み取り可能な媒体、例えば、データストア２０８の不揮発性メモリに格納された機械読み取り可能な命令を有する多数のプログラム又は手順として格納される。一つの実施形態において、データストア２０８は、１以上のディスクドライブのような磁気記録媒体、ダイナミックランダムアクセスメモリ（ＤＲＡＭ、ＳＲＡＭ）、フラッシュメモリ、リードオンリーメモリ（ＲＯＭ）、電気的に消去可能なプログラム可能なリードオンリーメモリ（ＥＥＰＲＯＭ）、又は他の適切な記録媒体を含む。
【００３０】
データストア２０８に格納されたプログラム及び手順は、プロセッサ２０２に以下に説明する機能を実行させる。
【００３１】
ライン電力供給されるネットワークエレメント上で実行される各サービスインスタンスについて、エレメント管理システム２００は、ライン電力マネージャ２０４として表されるライン電力マネージャのインスタンスを生成する。一つの実施形態において、ライン電力マネージャの所定のインスタンスは、ライン電力管理機能２０６としてここに表される多数の関連するライン電力管理機能を起動する。特定の実施形態において、ライン電力マネージャ及びライン電力管理機能の適切な数のインスタンスがエレメント管理システム２００によって生成されることが理解される。簡単化のために、単一のライン電力マネージャ及び単一のライン電力コントロール機能のみをここに示す。
【００３２】
エレメント管理システム２００は、データストア２０８も含む。特に、データストア２０８は、電力管理アプリケーションによって用いられる１以上のデータベース２１０を格納する。例えば、一つの実施形態において、データベース２１０は、プロセッサ２０２上で実行されるライン電力マネージャの各インスタンスについてのデータを格納する。このデータは、例えば、ライン電力マネージャのインスタンスに関連するプリミティブとともにライン電力マネージャのインスタンスの識別情報を含む。他の実施形態において、他の適切なデータベースもまたデータストア２０８に保持される。
【００３３】
エレメント管理システム２００は、入出力（Ｉ／Ｏ）回路２１２も含む。Ｉ／Ｏ回路２１２は、エレメント管理システム２００に対するユーザインターフェースを提供する。一つの実施形態において、Ｉ／Ｏ回路２１２は、エレメント管理システム２００に対するクラフトポートのインターフェースを提供する。さらに、他の実施形態において、Ｉ／Ｏ回路２１２は、グラフィカルユーザインターフェースを介して情報を交換する。他の実施形態において、Ｉ／Ｏ回路２１２は、キーボード、マウス、タッチスクリーン、音声認識回路又はソフトウェア等を含む、他の既知若しくは後に開発される入出力デバイスと連動する。
【００３４】
エレメント管理システム２００は、ライン電力供給されるネットワークエレメントの管理インターフェースを提供する通信回路２１４も含む。このインターフェースを通じて、情報は、ライン電力供給されるネットワークエレメントの電力面の管理を達成するためにライン電力供給されるネットワークエレメントに対して、及びライン電力供給されるネットワークエレメントから通信される。一つの実施形態において、管理情報ベース（ＭＩＢ）及びＳＮＭＰのような標準プロトコルを用いて、このインターフェースを通じて通信パラメータは定義される。他の実施形態において、他の既知若しくは後に開発される管理プロトコルが使用される。
【００３５】
エレメント管理システム２００は、通信インターフェース２１１も含む。一つの実施形態において、通信インターフェース２１１は、エレメント管理システム２００の様々な構成要素間で信号を運ぶために１以上のバスを有する。一つの実施形態において、通信インターフェース２１１は、プロセッサ２０２、データストア２０８、Ｉ／Ｏ回路２１２、及び通信回路２１４に結合される。
【００３６】
エレメント管理システム２００の動作の様々な側面は、図３−９に関して以下に説明される。
図３は、ライン電力マネージャの供給及び図２のエレメント管理システム２００を用いたライン電力供給されるネットワークエレメントの管理のプロセスの一つの実施形態のフローチャートである。一つの実施形態において、このプロセスは、エレメント管理システム２００のプロセッサ２０２上で実行される。エレメント管理システム２００は、プロビジョニング、実行監視、及び警告機能を提供する。
【００３７】
図２のライン電力マネージャ２０４として参照される、電力管理アプリケーションのインスタンスは、ネットワークエレメントの電力状態に基づいてライン電力供給されるネットワークエレメント上で供給されるサービスの動作を制御する。この明細書の目的において、ライン電力マネージャとして参照される、電力管理アプリケーションの単一のインスタンスが記述される。しかし、アクセスネットワークの通常の動作において、ライン電力供給されるネットワークエレメント又はエレメント群において供給される様々なサービスを制御するために、電力管理アプリケーションの多くのインスタンスがＥＭＳプラットフォーム上で同時に実行されることが理解される。
【００３８】
ブロック３００において、電力管理アプリケーションのプロセスは、管理され、ライン電力供給されるネットワークエレメント上でのサービスの供給とともに開始する。例えば、新規なＰＯＴＳ、ＤＳＬ又は他の適切な音声若しくはデータサービスが、管理され、ライン電力供給されるネットワークエレメントに関連する加入者に供給される。一度サービスが供給されると、ブロック３０２において、プロセスは、管理され、ライン電力供給されるネットワークエレメントにおいて提供される、供給されたサービスについての電力マネージャのインスタンスを生成する。
【００３９】
図３は、エレメント管理システム２００上でライン電力マネージャ２０４を供給する二つの技術を備えたプロセスの実施形態を示す。一つの技術は、供給されるサービスに基づいたライン電力マネージャ２０４の（ここで他への暗黙的なプロビジョニングとも呼ばれる）“フロースルー”プロビジョニングである。他の技術は、ユーザがライン電力マネージャを供給するための入力を提供するライン電力マネージャ２０４の明示的なプロビジョニングである。以下により詳細に説明するように、ユーザは、供給されるサービスのライン電力マネージャを供給するための個別の基準又は供給されるサービスの“電力プロファイル”として知られる供給される基準セットのどちらかを選択する。他の実施形態において、電力管理アプリケーションは、ライン電力マネージャ２０４のインスタンスを生成するために二つの技術の一つのみを使用する。図の簡単化のために、二つの技術は、図３のフローチャートにおいてブロック３０４からの別のブランチとして結合される。
【００４０】
ブロック３０４において、プロセスは、電力基準が、フロースループロビジョニングに基づいて選択されるべきか明示的な選択に基づいて選択されるべきかを決定する。フロースループロビジョニングは、ライン電力マネージャ２０４の暗黙的なプロビジョニングである。暗黙的な選択は、選択された“電力プロファイル”をサービスのタイプに関連付けることによって達成される。電力プロファイルは、図６に関して以下に説明される電力管理アプリケーションの機能を通じて定義される。各電力プロファイルは、“サービス識別器”によって特定される。そして各電力プロファイルは、プリミティブ、トリガ、基準、閾値等の選択されたセットを含む。さらに各電力プロファイルは、各プリミティブ、トリガ、基準、閾値等とソースＮＥ、シンクＮＥの何れか又は両方の関連を特定する。サービス識別器及びその関連付けられた電力プロファイルは、例えば、グラフィカルユーザインターフェース、ノースバウンドインターフェース（north bound interface）からのコマンド等を通じて供給される。一度構築されると、電力プロファイルを必要に応じて修正することができる。そのため、供給されるべきサービスが選択される場合、そのサービスに関連する電力プロファイル及び必要なプリミティブは、そのサービスが供給される、管理され、ライン電力供給されるネットワークエレメントへ自動的に流れる。
【００４１】
暗黙的なプロビジョニングが使用される場合、プロセスは、ブロック３０８において図２のデータベース２１０から選択されたサービスに関連するプリミティブを読み出す。これらのプリミティブは、供給されるサービスの１以上の電力管理機能を実行するために必要なプリミティブである。一つの実施形態において、これは、図１のソースＮＥ１１０から内在されるシンクＮＥ１１２のようなライン電力供給されるネットワークエレメントを制御するプリミティブを含む。例えば、サービスのために供給されるプリミティブのセットは、ライン電力マネージャ１０２と電源ライン電力制御機能１２２間のインターフェースを記述する。そして、プリミティブのセットはライン電力マネージャ１０２とシンクライン電力制御機能１２４間のインターフェースを記述する。これらのプリミティブは、ソースＮＥ１１０とシンクＮＥ１１２内の電力管理状態を制御し、監視する。これらのプリミティブに加えて、一つの実施形態において、供給されるプリミティブセットは、電源ライン電力コントローラ１１８と電源ライン電力制御機能１２２間のインターフェースを記述し、そしてプリミティブのセットは、シンクライン電力コントローラ１２０とシンクライン電力制御機能１２４間のインターフェースを記述する。これらのプリミティブは、ソースＮＥ１１０とシンクＮＥ１１２内のライン電力制御機能の状態を制御し、監視する。
【００４２】
ブロック３０４において、フロースループロビジョニングを使用しないことを決定した場合、その方法は、供給されるサービスについての電力基準の明示的な選択を開始するためにブロック３０６へ進める。この点において、ユーザは、個々のプリミティブ及びそれらに関連するトリガ、基準、閾値等を選択するための機会を与えられる。あるいは、明示的なプロビジョニングは、例えば、ＥＭＳのユーザインターフェースを通じて、サービスを少なくとも一つの電力プロファイルに選択的に関連付けることによって達成される。
【００４３】
一度プリミティブが明示的（３０６）又は暗黙的（３０８）に選択されると、プロセスは、ブロック３１０へ進み、供給されるサービスに関連するプリミティブをデータベース２１０に格納する。データベース２１０にプリミティブを格納するプロセスの一つの実施形態は、図８に関して以下に説明される。
【００４４】
ブロック３１２において、プロセスはエレメント管理システム２００についてのライン電力管理機能と関連するシンクＮＥ及びソースＮＥについてのライン電力制御機能を供給する。これらの機能は、ライン電力供給されるネットワークエレメントの管理を実行するために用いられる。その機能は、ライン電力供給されるネットワークエレメントの管理を実行するために供給されるプリミティブを使用する。さらに、プロセスは、ソースＮＥからシンクＮＥへ電力を運ぶために導体をライン電力制御機能に関連付ける。
【００４５】
ブロック３１４において、プロセスは、管理され、ライン電力供給されるネットワークエレメントに対してプリミティブを提供する。一つの実施形態において、これは、電源ネットワークエレメント、例えば電話局端末、のプリミティブのセット、及びシンクネットワークエレメント、例えばリモート端末、顧客側装置等、に対する他のプリミティブのセットを提供することを含む。プリミティブは、適切なプロトコル、例えば、シンプルネットワーク管理プロトコル（ＳＮＭＰ）、又は他の実存する若しくは後に開発されるトランスポートプロトコルを用いてライン電力供給されるネットワークエレメントに対して提供される。
【００４６】
一度供給されると、電力マネージャ２０４は、ブロック３１６において、ライン電力供給されるネットワークエレメントを管理する。供給されたプリミティブは、ライン電力供給されるネットワークエレメントについての電力管理スキームを実行するための基礎を提供する。例えば、一つの実施形態において、プリミティブは、ネットワークエレメントについての電力管理の二つのレベルを規定する。第１のレベルにおいて、プリミティブは、大まかなレベル、例えば、アセンブリ、サブアセンブリ、コモンロジックアセンブリにおける制御を規定する。第２のレベルにおいて、プリミティブは、高精度、例えば、デジタルロジック、アナログロジック、及びインスタンスの生成が開始されるサービスのプロビジョニングに関するロジックにおける制御を規定する。
【００４７】
ブロック３１８において、プロセスは電力管理プロセスに関連するプリミティブを監視する。例えば、一つの実施形態において、プロセスは、電力の警告状態がライン電力供給されるネットワークエレメントにおいて存在する場合を決定するためにプリミティブを監視する。
【００４８】
ブロック３２０において、プロセスは、監視される状態に基づいて処置が必要か否かを決定する。ブロック３２０において、処置を取ることが必要な場合、その処置はブロック３２２において行われる。例えば、一つの実施形態において、プロセスは、警告状態がライン電力供給されるネットワークエレメントにおいて存在する場合を監視されるプリミティブから決定する。そして、プロセスは、例えばグラフィカルユーザインターフェースを用いて、ブロック３２２においてモニタ上に警告状態を表示する。一つの実施形態において、これは、供給される電力の警告の重大性及び電力警告の閾値に基づいて、警告の状態、例えば、黄色、オレンジ、赤色の警告を表示することを含む。一つの実施形態において、電力警告は、アクセスネットワークエレメントのトポロジーに関連して表示される。
【００４９】
図４及び図５は、エレメント管理システムについての出力手順の実施形態のフローチャートである。電力マネージャ２０４の各インスタンスは、供給されたプリミティブに基づいて、管理され、ライン電力供給されるネットワークエレメントの様々な状態を監視する。そのため、電力マネージャ２０４は、供給されるプリミティブを通じてライン電力供給されるネットワークエレメントから状態及び警告データを受信する。一つの実施形態において、エレメント管理システムの電力マネージャとライン電力供給されるネットワークエレメント間のインターフェースは、ＳＮＭＰ若しくは他の管理通信プロトコルを備えたＭＩＢに基づく標準又は独自開発物を用いて提供される。電力マネージャ２０４は、少なくとも二つの方法でこのデータに対するユーザのアクセスを提供する。第１に、電力マネージャ２０４は、Ｉ／Ｏ回路２１２に結合されるクラフトポートを通じてデータに対するアクセスを提供する。データは、図４に示す手順を用いてクラフトポートから読み出される。さらにデータは、図５に示す手順を用いて、ネットワーク接続を通じて遠隔監視ステーションにおいてユーザに提供される。
【００５０】
クラフトポートに対するデータの提供についてのプロセスは、図４のブロック４００において開始する。ブロック４０２において、プロセスは、監視されるライン電力供給されるネットワークエレメントについてのデータを表示するための要求を受信する。ブロック４０４において、プロセスは、そのライン電力供給されるネットワークエレメントに関連するプリミティブを特定する。ブロック４０６において、プロセスは、ライン電力供給されるネットワークエレメントにおいて監視されている現在の状態を示すデータを、データベース２１０から読み出す。ブロック４０８において、プロセスは、ユーザに対して表示するためにＩ／Ｏ回路２１２上のクラフトポートに対してデータを提供する。ブロック４１０において、プロセスは終了する。一つの実施形態において、さらにプロセスは、監視されるデータの値が変化する場合、クラフトポートにおいて表示されるデータを更新する。
【００５１】
遠隔監視ステーションに対するデータ提供のプロセスは、図５のブロック５００において開始する。ブロック５０２において、プロセスは、通信回路２１４において遠隔監視ステーションからの要求を受信する。ブロック５０４において、プロセスは、ライン電力供給されるネットワークエレメントに関連するプリミティブを特定する。ブロック５０６において、プロセスは、ライン電力供給されるネットワークエレメントにおいて監視されている現在の状態を示すデータをデータベース２１０から読み出す。ブロック５０８において、プロセスは、ユーザに対して表示するために通信回路２１４を通じて遠隔監視ステーションに対してデータを提供する。ブロック５１０において、プロセスは終了する。一つの実施形態において、さらにプロセスは、監視されるデータの値が変化する場合、遠隔監視ステーションにおいて表示されるデータを更新する。
【００５２】
図６は、電力管理アプリケーションによる使用のための電力プロファイル初期化のプロセスの実施形態についてのフローチャートである。ブロック６００において、そのプロセスは開始する。ブロック６０２において、プロセスは新規な電力プロファイルについての要求を受信する。ブロック６０４において、プロセスは電力プロファイルについて提案された名前を受信する。ブロック６０６において、プロセスは、提案された名前が許容可能か否か、例えば、その名前が他の電力プロファイルに使用されておらず、且つネーミング規則に違反しないかどうかを決定する。ブロック６０８において、プロセスは、ユーザからプリミティブの選択を受信する。ブロック６１０において、プロセスは、選択されたプリミティブについてのパラメータの値を受信する。例えば、プロセスは、トリガ、基準、閾値及び選択されたプリミティブの他のパラメータについての値を受信する。さらにプロセスは、各プリミティブについてソースＮＥかシンクＮＥのどちらか、又は両方との関連を受信する。ブロック６１２において、プロセスは、電力プロファイルについてのデータベース２１０に受信した値を格納する。電力プロファイルを格納するデータベースの構造の例は、図７に表形式で提供される。データベース７００は、関連するデータの二つの欄を含む。第１の欄７０２は、電力プロファイルについてのサービス識別子を格納する。第２の欄７０４は、データベース７００の同じ行の欄７０２に提供されるサービス識別子を備えた電力プロファイルについてのプリミティブ及びそれらの対応するパラメータ値を特定する。
【００５３】
ブロック６１４において、プロセスは、追加のプリミティブが選択されるべきか否かを決定する。もし追加するならば、プロセスは、次のプリミティブを選択するためにブロック６０８へ戻る。追加しない場合には、その後ブロック６１６においてプロセスは終了する。
【００５４】
図８は、エレメント管理システム２００の各ライン電力マネージャのインスタンスについてのデータベースにプリミティブを格納するプロセスのフローチャートである。ブロック８００において、プロセスは開始する。ブロック８０２において、ライン電力マネージャのインスタンスについての識別子（ＩＤ）が生成される。この識別子は、図９のデータベース９００の欄９０２のようにデータベースに格納される。一度識別子が生成されると、プリミティブがデータベース９００に格納される。ブロック８０４において、プロセスは、ライン電力マネージャのインスタンスに関連する制御プリミティブがあるか否かを決定する。制御プリミティブがある場合、ブロック８０６において、その制御プリミティブは、ライン電力マネージャのインスタンスに関連する行の欄９０４に格納される。制御プリミティブがない場合、プロセスはブロック８０８へ進む。ブロック８０８において、プロセスは、ライン電力マネージャのインスタンスに関連する警告プリミティブがあるか否かを決定する。警告プリミティブがある場合、ブロック８１０において、その警告プリミティブは、ライン電力マネージャのインスタンスに関連する行の欄９０６に格納される。警告プリミティブがない場合、プロセスはブロック８１２へ進む。ブロック８１２において、プロセスは、ライン電力マネージャのインスタンスに関連する監視プリミティブがあるか否かを決定する。監視プリミティブがある場合、ブロック８１４において、その監視プリミティブは、ライン電力マネージャのインスタンスに関連する行の欄９０８に格納される。監視プリミティブがない場合、プロセスはブロック８１６において終了する。他の実施形態において、プリミティブは、それらが受信され、プリミティブのタイプ及びライン電力マネージャのインスタンスに基づいてデータベース９００の適切な位置に格納されるように格納される。
【００５５】
図３，４，５，６及び８のプロセスを、エレメント管理システム２００について説明してきたが、他の実施形態においては、異なる構成を備えたエレメント管理システム上でそれらのプロセスが実行されるということが理解される。さらに、他の実施形態において、他のプロセスが、電力マネージャのインスタンス生成、電力プロファイルの生成、ライン電力マネージャのインスタンスについてのデータベースへのプリミティブの格納、及び状態と警告情報の監視の様々な機能を実行するために用いられる。本願で説明されたプロセスは、説明のために提供されるものであり、限定のために提供されるものではない。
【００５６】
図３−６及び８で示したプロセスは、逐次的なステップとして説明されているが、この機能は、従来若しくは後に開発されるプログラミング手法を用いて、多くの方法で実行することができる。さらに、ここで説明したプロセス及び技術は、デジタル電子回路で実行してもよく、又はプログラマブルプロセッサ（例えば、特定目的のプロセッサ若しくはコンピュータのような汎用プロセッサ）、ファームウェア、ソフトウェア、若しくはそれらの組み合わせで実行してもよい。これらの技術を具現化する装置は、適切な入出力デバイス、プログラマブルプロセッサ、プログラマブルプロセッサによる実行のためのプログラム命令を明白に具現化する記録媒体を含んでもよい。これらの技術を具現化するプロセスを、入力データで動作し適切な出力を生成することによって所望の機能を実施するようにプログラム命令を実行するプログラマブルプロセッサによって実施してもよい。有利には、データ記憶システム、少なくとも一つの入力デバイス、及び少なくとも一つの出力デバイスからデータ及び命令を受信し、且つそれらへデータ及び命令を伝送するように結合される少なくとも一つのプログラマブルプロセッサを含むプログラマブルシステム上で実行可能な１以上のプログラムでその技術を実行してもよい。一般に、プロセッサはリードオンリーメモリ及び／又はランダムアクセスメモリから命令及びデータを受信する。コンピュータプログラムの命令及びデータを明白に具現化するための適切な記憶デバイスは、不揮発性メモリの全ての形式、例えば、ＥＰＲＯＭ、ＥＥＰＲＯＭのような半導体メモリデバイス、フラッシュメモリデバイスを含み、また内蔵ハードディスク及びリムーバブルディスクのような磁気ディスク、光磁気ディスク及びＣＤ−ＲＯＭディスクを含む。前述の如何なるものも、特定用途向け集積回路（ＡＳＩＣ）によって補完され、又は組み込まれてもよい。
【００５７】
特許請求項の記載によって定義される本発明の多くの実施形態を説明してきた。それでもなお、説明した実施形態に対する様々な修正を本発明の範囲から外れることなく行うことができることを理解されたい。したがって、他の実施形態も特許請求項の記載の範囲内に含まれる。
【図面の簡単な説明】
【００５８】
【図１】電力管理アプリケーションを備えたアクセスネットワークの実施形態のブロック図である。
【図２】ライン電力供給されるネットワークエレメントについての電力管理アプリケーションを実行するエレメント管理システムの実施形態のブロック図である。
【図３】エレメント管理システム上で実行されるライン電力マネージャの供給及びライン電力マネージャを備えたライン電力供給されるネットワークエレメントの管理についてのプロセスの実施形態のフローチャートである。
【図４】エレメント管理システムについての出力手順の実施形態のフローチャートである。
【図５】エレメント管理システムについての出力手順の実施形態のフローチャートである。
【図６】電力管理アプリケーションによる使用のための電力プロファイル初期化プロセスの実施形態のフローチャートである。
【図７】エレメント管理システムにおける電力プロファイルに関連するプリミティブをトラッキングするデータベースの図である。
【図８】エレメント管理システムにおける各電力マネージャのインスタンスについてのデータベースにおけるプリミティブを格納するプロセスのフローチャートである。
【図９】エレメント管理システムにおける電力マネージャのインスタンスに関連するプリミティブのトラッキングについてのデータベースの図である。
【図１】
2006526954.tif 000003
【図２】
2006526954.tif 000004
【図３】
2006526954.tif 000005
【図４】
2006526954.tif 000006
【図５】
2006526954.tif 000007
【図６】
2006526954.tif 000008
【図７】
2006526954.tif 000009
【図８】
2006526954.tif 000010
【図９】
2006526954.tif 000011
【国際調査報告】
2006526954.tif 000012
2006526954.tif 000013